(57)【要約】      （修正有）【課題】ユーザが床面に仰向けに寝そべり頸部を下向きに降ろしたときに適切な深さだけ沈み込む硬さを有し、結果として頸部を適切な位置に安定な状態で固定するとともに、脊椎を牽引して体の歪みを矯正することができる運動補助器具を提供する。【解決手段】運動補助器具１は、蒲鉾形の弾性部２を備える。弾性部２は、底面から上面頂までの高さＨが５乃至１０センチメートルであり、底面を下にして床面上に配置させ、直径１０センチメートルで質量５キログラムの円柱形状の物体を、上から見たときに当該円柱の軸が弾性部２の上面頂が形成する稜線Ｌの中央部Ｐにおいて稜線Ｌと直交し、かつ当該軸が水平となるように弾性部２上に載置した場合、中央部Ｐが高さＨの２５パーセント以上３５パーセント以下の長さの距離だけ下向きに沈む硬さを有している。【選択図】図１
0003153636.tif 000002
【実用新案登録請求の範囲】
【請求項１】
蒲鉾形の弾性部を備え、
前記弾性部は、底面から上面頂までの高さが５乃至１０センチメートルであり、前記底面を下にして床面上に配置させ、直径１０センチメートルで質量５キログラムの円柱形状の物体を、上から見たときに当該円柱の軸が前記上面頂が形成する稜線の中央部において当該稜線と直交し、かつ当該軸が水平となるように前記弾性部上に載置した場合、当該中央部が前記高さの２５パーセント以上３５パーセント以下の長さの距離だけ下向きに沈む
運動補助器具。
【請求項２】
床面に取り付けられた面ファスナーと係合可能な面ファスナーを前記底面上に備える
請求項１に記載の運動補助器具。
【請求項３】
前記弾性部は、上面に開口可能な格納部を備え、
前記格納部に着脱自在に格納可能な、少なくとも保冷剤、保温剤、芳香剤および吸汗体のいずれかを備える
請求項１または２に記載の運動補助器具。
【請求項４】
前記弾性部は、本体と、前記本体の上面に着脱可能に載置される互いに硬さの異なる２以上の硬さ調整部の中からユーザが選択した一の硬さ調整部と、を備える
請求項１乃至３のいずれかに記載の運動補助器具。
【請求項５】
前記弾性部は、互いに高さの異なる２以上の高さ調整部の中からユーザが選択した一の高さ調整部と、当該一の高さ調整部の上面に着脱可能に載置される本体と、を備える
請求項１乃至４のいずれかに記載の運動補助器具。
【請求項６】
前記弾性部の内部に配置され音声の波形を示す波形データを記憶した記憶部と、
前記弾性部の内部に配置され前記記憶部に記憶されている波形データに従い音声を発音する発音部と、
を備える
請求項１乃至５のいずれかに記載の運動補助器具。
【請求項７】
前記弾性部の上面に着脱可能に載置される吸湿性のカバーを備える
請求項１乃至６のいずれかに記載の運動補助器具。
【請求項８】
前記弾性部は、外気に通じ内部の通気性を高めるための孔を有する
請求項１乃至７のいずれかに記載の運動補助器具。
【請求項９】
前記弾性部に付着もしくは保持される芳香剤を備える
請求項１乃至８のいずれかに記載の運動補助器具。
【請求項１０】
前記弾性部は、上面にユーザの頸部を押圧する頸部押圧部を備える
請求項１乃至９のいずれかに記載の運動補助器具。
【請求項１１】
前記蒲鉾形は、上に何も載っていない状態で前記上面頂が形成する稜線の中央部が周囲から凹んだ形状の蒲鉾形である
請求項１乃至１０のいずれかに記載の運動補助器具。
【請求項１２】
前記弾性部に付着もしくは保持される、少なくとも磁性体、チタンおよびトルマリンのいずれかを備える
請求項１乃至１１のいずれかに記載の運動補助器具。
【請求項１３】
前記弾性部の内部に配置された振動発生装置を備える
請求項１乃至１２のいずれかに記載の運動補助器具。
【請求項１４】
前記弾性部の上面に着脱可能に載置される、少なくとも保冷剤、保温剤および芳香剤のいずれかを備える
請求項１乃至１３のいずれかに記載の運動補助器具。
【請求項１５】
前記弾性部の内部に配置された加温装置を備える
請求項１乃至１４のいずれかに記載の運動補助器具。
【請求項１６】
前記弾性部の内部は、蒲鉾形の芯材と、前記芯材の湾曲面を覆う前記芯材とは異なる素材の表層部分と、からなる
請求項１乃至１５のいずれかに記載の運動補助器具。
【考案の詳細な説明】
【技術分野】
【０００１】
本考案は、体操に用いる運動補助器具に関する。
【背景技術】
【０００２】
本考案の考案者は、既存の整体やカイロプラクティックとは異なる体の矯正法、具体的には筋肉に刺激を与えることによって体全体の歪みをとる運動療法を提供している。この特有の運動には、運動者が床面に仰向けに寝そべり頸部を適切な位置に固定して行うものも含まれている。そのような運動を行う場合、運動者は通常頸部の下にタオル等を丸めて配置している。
【考案の概要】
【考案が解決しようとする課題】
【０００３】
しかし、丸めたタオル等では使い勝手が悪く、頸部を適切な位置に安定な状態で固定するとともに、脊椎を牽引して体の歪みを矯正するという目的を十分に果たすことができない場合がある。
【０００４】
また、既存の枕や健康器具を流用する場合、それらは硬さや形状等に難があることから不便である。
【０００５】
そこで、本考案の考案者は自ら、特有の運動時に頸部を適切な位置に安定な状態で固定するとともに、脊椎を牽引して体の歪みを矯正するための運動補助器具を考案すべく、鋭意研究を行った。
【０００６】
本考案は、運動者が床面に仰向けに寝そべり頸部を下向きに降ろしたときに適切な深さだけ沈み込む硬さを有し、結果として上述の課題を解決する運動補助器具を提供することを目的とする。
【課題を解決するための手段】
【０００７】
本考案は、上記の目的に鑑みて想到されたものであり、
蒲鉾形の弾性部を備え、
前記弾性部は、底面から上面頂までの高さが５乃至１０センチメートルであり、前記底面を下にして床面上に配置させ、直径１０センチメートルで質量５キログラムの円柱形状の物体を、上から見たときに当該円柱の軸が前記上面頂が形成する稜線の中央部において当該稜線と直交し、かつ当該軸が水平となるように前記弾性部上に載置した場合、当該中央部が前記高さの２５パーセント以上３５パーセント以下の長さの距離だけ下向きに沈む
運動補助器具
を提供する（第１の実施態様）。
【０００８】
また、上記の第１の実施態様において、
床面に取り付けられた面ファスナーと係合可能な面ファスナーを前記底面上に備える
構成を採用してもよい（第２の実施態様）。
【０００９】
また、上記の第１または２の実施態様において、
前記弾性部は、上面に開口可能な格納部を備え、
前記格納部に着脱自在に格納可能な、少なくとも保冷剤、保温剤、芳香剤および吸汗体のいずれかを備える
構成を採用してもよい（第３の実施態様）。
【００１０】
また、上記の第１乃至３のいずれかの実施態様において、
前記弾性部は、本体と、前記本体の上面に着脱可能に載置される互いに硬さの異なる２以上の硬さ調整部の中からユーザが選択した一の硬さ調整部と、を備える
構成を採用してもよい（第４の実施態様）。
【００１１】
また、上記の第１乃至４のいずれかの実施態様において、
前記弾性部は、互いに高さの異なる２以上の高さ調整部の中からユーザが選択した一の高さ調整部と、当該一の高さ調整部の上面に着脱可能に載置される本体と、を備える
構成を採用してもよい（第５の実施態様）。
【００１２】
また、上記の第１乃至５のいずれかの実施態様において、
前記弾性部の内部に配置され音声の波形を示す波形データを記憶した記憶部と、
前記弾性部の内部に配置され前記記憶部に記憶されている波形データに従い音声を発音する発音部と、
を備える
構成を採用してもよい（第６の実施態様）。
【００１３】
また、上記の第１乃至６のいずれかの実施態様において、
前記弾性部の上面に着脱可能に載置される吸湿性のカバーを備える
構成を採用してもよい（第７の実施態様）。
【００１４】
また、上記の第１乃至７のいずれかの実施態様において、
前記弾性部は、外気に通じ内部の通気性を高めるための孔を有する
構成を採用してもよい（第８の実施態様）。
【００１５】
また、上記の第１乃至８のいずれかの実施態様において、
前記弾性部に付着もしくは保持される芳香剤を備える
構成を採用してもよい（第９の実施態様）。
【００１６】
また、上記の第１乃至９のいずれかの実施態様において、
前記弾性部は、上面にユーザの頸部を押圧する頸部押圧部を備える
構成を採用してもよい（第１０の実施態様）。
【００１７】
また、上記の第１乃至１０のいずれかの実施態様において、
前記蒲鉾形は、上に何も載っていない状態で前記上面頂が形成する稜線の中央部が周囲から凹んだ形状の蒲鉾形である
構成を採用してもよい（第１１の実施態様）。
【００１８】
また、上記の第１乃至１１のいずれかの実施態様において、
前記弾性部に付着もしくは保持される、少なくとも磁性体、チタンおよびトルマリンのいずれかを備える
構成を採用してもよい（第１２の実施態様）。
【００１９】
また、上記の第１乃至１２のいずれかの実施態様において、
前記弾性部の内部に配置された振動発生装置を備える
構成を採用してもよい（第１３の実施態様）。
【００２０】
また、上記の第１乃至１３のいずれかの実施態様において、
前記弾性部の上面に着脱可能に載置される、少なくとも保冷剤、保温剤および芳香剤のいずれかを備える
構成を採用してもよい（第１４の実施態様）。
【００２１】
また、上記の第１乃至１４のいずれかの実施態様において、
前記弾性部の内部に配置された加温装置を備える
構成を採用してもよい（第１５の実施態様）。
【００２２】
また、上記の第１乃至１５のいずれかの実施態様において、
前記弾性部の内部は、蒲鉾形の芯材と、前記芯材の湾曲面を覆う前記芯材とは異なる素材の表層部分と、からなる
構成を採用してもよい（第１６の実施態様）。
【考案の効果】
【００２３】
本考案の第１の実施態様にかかる運動補助器具は、適当な硬さおよび形状の弾性部を備えているので、特有の運動時に、ユーザの頸部を適切な位置に安定な状態で固定するとともに、脊椎を牽引して体の歪みを矯正することができる。
【００２４】
また、本考案の第２の実施態様にかかる運動補助器具は、運動補助器具本体を床面に定着するための面ファスナーを備えているので、運動時に当該運動補助器具が床面からずれることが防止される。
【００２５】
また、本考案の第３の実施態様にかかる運動補助器具は、弾性部の上面に開口可能な格納部を備えるともに、当該格納部に着脱自在に格納される少なくとも保冷剤、保温剤、芳香剤および吸汗体のいずれかを備えるので、ユーザはより快適な環境で運動を行うことができる。
【００２６】
また、本考案の第４の実施態様にかかる運動補助器具は、弾性部が本体および本体の上面に着脱可能に載置される硬さ調整部を備える構成としたので、硬さ調整部を交換することにより運動補助器具の硬さをユーザの特性に合わせることができる。
【００２７】
また、本考案の第５の実施態様にかかる運動補助器具は、弾性部が高さ調整部および高さ調整部の上面に着脱可能に載置される本体を備える構成としたので、高さ調整部を着脱もしくは交換することにより運動補助器具の高さをユーザの特性に合わせることができる。
【００２８】
また、本考案の第６の実施態様にかかる運動補助器具は、音声の波形を示す波形データを記憶した記憶部および記憶部に記憶されている波形データに従い音声を発音する発音部を、弾性部の内部に配置する構成としたので、例えば記憶部にガイダンス音声を示す波形データを記憶させておけば、ユーザは再生される音声のガイダンスに従って運動することができる。
【００２９】
また、本考案の第７の実施態様にかかる運動補助器具は、弾性部の上面に着脱可能に載置される吸湿性のカバーを備えるので、ユーザの汗等を吸収し、ユーザの不快感を軽減することができる。
【００３０】
また、本考案の第８の実施態様にかかる運動補助器具は、弾性部に通気孔を有するので、当該弾性部の内部の十分な通気性を確保することができる。
【００３１】
また、本考案の第９の実施態様にかかる運動補助器具は、弾性部に芳香剤を備える構成としたので、例えばアロマオイルを弾性部に染み込ませることにより、アロマテラピー効果を期待することができる。
【００３２】
また、本考案の第１０の実施態様にかかる運動補助器具は、弾性部が上面にユーザの頸部を押圧する頸部押圧部を備えているので、例えばユーザの頸部の経穴付近を揉みほぐすことにより、揉みほぐされた部位の血行を促進することができる。
【００３３】
また、本考案の第１１の実施態様にかかる運動補助器具は、弾性部の蒲鉾形が上に何も載っていない状態で中央部が周囲から凹んだ形状の蒲鉾形を備えるので、ユーザの頸部をより安定的に固定することができる。
【００３４】
また、本考案の第１２の実施態様にかかる運動補助器具は、弾性部に少なくとも磁性体、チタンおよびトルマリンのいずれかを備える構成としたので、体に良い効果を得ることが期待できる。
【００３５】
また、本考案の第１３の実施態様にかかる運動補助器具は、弾性部の内部に振動発生装置を備えているので、ユーザの頸部に快適な振動を与えることができる。
【００３６】
また、本考案の第１４の実施態様にかかる運動補助器具は、弾性部の上面に着脱可能に載置される少なくとも保冷剤、保温剤および芳香剤のいずれかを備えるので、ユーザはより快適な環境で運動することができる。
【００３７】
また、本考案の第１５の実施態様にかかる運動補助器具は、弾性部の内部に遠赤外線発生器、温熱器等の加温装置を備えているので、ユーザの頸部をこれらの装置から発せられた遠赤外線もしくは熱で温めることにより、温められた部位の血行を促進することができる。
【００３８】
また、本考案の第１６の実施態様にかかる運動補助器具は、弾性部の内部を構成する部材が芯材と表層部分とからなる二層構造で成形されているので、適切な原料を選択することによって、製造のコストを抑えつつ弾性部の硬度にバラツキが出ることを防いで希望する弾性部の硬度を実現し、さらに弾性部の耐久性を高めることができる。
【図面の簡単な説明】
【００３９】
【図１】図１は、本考案の実施形態にかかる運動補助器具の斜視図である。
【図２】図２は、本考案の実施形態の一変形例を示す図である。
【図３】図３は、本考案の実施形態の一変形例を示す図である。
【図４】図４は、本考案の実施形態の一変形例を示す図である。
【図５】図５は、本考案の実施形態の一変形例を示す図である。
【図６】図６は、本考案の実施形態の一変形例を示す図である。
【考案を実施するための形態】
【００４０】
（実施形態）
以下、本考案の具体例である実施形態を、図面を用いて説明する。
図１は本実施形態にかかる運動補助器具１の斜視図である。運動補助器具１は、蒲鉾形の弾性部２から構成される。弾性部２は、例えばウレタンフォームからなる蒲鉾形の内側部材、すなわち中身を合成皮革でカバーすることによって全体が構成されている。
【００４１】
弾性部２の中身は、例えば、硬いウレタンチップ、柔らかいウレタンチップおよび接着剤を各々適量に混ぜて型に入れ一定時間置くことによって成形される。このように硬さの異なるウレタンチップを混合する方法を採用すれば、それらの混合比率を変更することにより、弾性部２の中身全体の硬さを容易に調整可能となる。
【００４２】
また、弾性部２の中身は、例えばウレタンフォームの射出成形もしくは切削加工等によって成形してもよい。
【００４３】
なお、成形後、弾性部２の中身の複数箇所に孔をあけてもよい。そのようにすることで、弾性部２の中身の十分な通気性を確保することができる。
【００４４】
また、弾性部２の中身の芯材として上述のようにウレタンチップで成形したウレタンフォームを用い、その表層部分に低反発ウレタンシートを接着して弾性部２の中身の全体を構成する二層構造の構成を採用してもよい。
【００４５】
そのような構成を採用することで、弾性部２の硬度にバラツキが出ることを防いで希望する弾性部２の硬度を実現し、さらに弾性部２の耐久性を高めることができる。また、低反発ウレタンシートのみで全体を構成するのではなく、芯材として再生ウレタンチップのウレタンフォームを用いることで、製造のコストを抑えることができる。
【００４６】
なお、上述の低反発ウレタンシートの厚さは、１センチメートル以上かつ３センチメートル以下であることが望ましいが、これに限定されるものではない。
【００４７】
さらに、弾性部２の中身にアロマオイルを染み込ませれば、アロマテラピー効果を期待することができる。また、この中身に例えば粒状もしくは粉状の、少なくとも磁性体、チタンおよびトルマリンのいずれかを備える構成としてもよい。
【００４８】
成形された弾性部２の中身は、凹凸があったり、毛羽立っていたりする。弾性部２の中身をカバーする合成皮革は、それらの凹凸や毛羽立ちによる使用時の不快感を低減する。また、合成皮革のカバーは、運動時にユーザの汗などが弾性部２の中身に染み込むことを防ぐ効果もある。
【００４９】
なお、目的に応じ、合成皮革の代わりに弾性部２の中身をカバーするものとして、ゴム製のもの、ウォッシャブル素材、抗菌加工素材、通気性の良い素材等を採用してもよい。また、これらの表装部材もしくは他の表装部材にアロマオイルを染み込ませれば、アロマテラピー効果を期待することができる。さらに、この表装部に例えば粒状もしくは粉状の、少なくとも磁性体、チタンおよびトルマリンのいずれかを備えてもよい。
【００５０】
次に弾性部２の寸法について説明する。長方形状を有する底面３の長手方向の長さは２８センチメートルであり、同幅方向の長さは１５センチメートルであり、底面３から前記蒲鉾形の上面頂までの高さＨは８センチメートルである。いずれの長さも日本人の平均的な体の大きさに鑑みて決定されたものであるが、特に高さＨは、寸法が大き過ぎると圧迫感が強くて運動時に首筋に無理な力が加わる原因になるし、寸法が小さ過ぎると頸部を適切な位置に安定した状態で保持するという目的を達成することができない。そこで、最大公約数的な大きさとして８センチメートルの高さＨを選択している。
【００５１】
なお、運動補助器具１は、高さＨが５乃至１０センチメートルの範囲のいずれかであれば、ほとんど全ての大きさの一般的な人間の体に適用可能である。したがって、そのような範囲の高さＨを適宜選択してもよい。
【００５２】
運動時に、弾性部２は底面３を下にして床面上に配置される。そして、ユーザが寝そべった状態で体の軸が底面３の長手方向と垂直になるように頸部を弾性部２上に降ろして当該頸部を固定し、脊椎を牽引することにより、運動補助器具１の機能が果たされる。このとき、頸部が安定な状態で固定され、適度に脊椎が牽引されるためには、弾性部２が適当な硬さを有することが必要である。本実施形態は、当該目的を達成するために、弾性部２の硬さとして以下により定義される硬さを採用している。
【００５３】
直径１０センチメートルの円柱からなる質量５キログラムの物体を、上から見たときに当該円柱の軸が弾性部２の上面頂が形成する稜線Ｌの中央部Ｐにおいて稜線Ｌと直交し、かつ当該軸が水平となるように弾性部２上に載置した場合、中央部Ｐが高さＨの３０パーセントの長さの距離だけ下向きに沈む硬さである。なお、同様の条件で中央部Ｐが高さＨの２５パーセント以上３５パーセント以下の長さの距離だけ下向きに沈む硬さであれば、同目的を達成する趣旨から効果は十分に認められる。
【００５４】
ユーザがそのような硬さの運動補助器具１に頸部を載せて仰向けに寝そべり、ユーザの頭部を支持している筋肉の力を解除（脱力）すると、中央部Ｐの辺りを支点としてユーザの頭部が自重により下向きに引っ張られ、主に頭部から腰部にかけての脊椎（頸椎、胸椎、腰椎）を牽引する力が生まれる。そのような牽引力により、ユーザは理想的な頸椎の湾曲（Ｓカーブ）を保ちつつ、脊椎全体が引き伸ばされた状態を保つことができ、結果として不健康な体の歪みを矯正して普段の生活で負荷を受けやすい脊椎の還元力を増進させることができる。
【００５５】
なお、図中において、中央部Ｐは破線の領域として描かれているが、当該破線の領域はおおまかな位置を示すものであり、実際には合成皮革のカバー上に破線のマークが記されているわけではない。
【００５６】
また、ユーザが頸部をより安定な状態で固定できるように、弾性部２は上に何も載っていない状態で中央部Ｐが周囲からやや凹んだ形状の蒲鉾形であってもよい。
【００５７】
また、運動補助器具１が、弾性部２の内部に振動発生装置を備えてもよい。この振動発生装置は、例えば電源装置と振動モータと当該振動モータに連結される振動子とから構成され、運動補助器具１全体を振動させることができる。このような構成によれば、運動補助器具１は、ユーザの頸部に快適な振動を与えることができる。
【００５８】
また、運動補助器具１が、弾性部２の内部に遠赤外線発生器、温熱器等の加温装置を備えてもよい。この遠赤外線発生器は、例えば電源装置とセラミックス等からなる遠赤外線発生部と当該遠赤外線発生部を加熱する電気回路等からなる加熱部とから構成される。また、この温熱器は、例えば一般的な電気式の温熱器具もしくは化学反応によって発熱する化学発熱剤を利用するもの等であればよい。このような構成によれば、運動補助器具１は、ユーザの頸部を適度に温めることによって、温められた部位の血行を促進することができる。
【００５９】
（変形例）
上述した実施形態は本考案の技術的思想の範囲内で様々に変形可能である。以下にそのような変形例を示す。
【００６０】
（第１変形例）
暑い季節にユーザが運動補助器具１を使用する際、頸部が運動補助器具１と触れる部分の熱が逃げにくいため、頸部に暑さを感じる場合がある。また、寒い季節にユーザが運動補助器具１を使用する際、ユーザが頸部に触れる運動補助器具１の冷たさに不快感を覚える場合がある。
【００６１】
そこで、第１変形例として、運動補助器具１が保冷機能もしくは保温機能を備える構成を採用する。
【００６２】
図２（ａ）および（ｂ）はそれぞれ、第１変形例にかかる運動補助器具１の斜視図および平面図である。図２（ａ）および（ｂ）に示すように、弾性部２は上面に開口可能な格納部２１を備え、格納部２１には、少なくとも保冷剤４１および保温剤４２のいずれかが着脱自在に格納される。この場合、運動補助器具１は、弾性部２および保冷剤４１等によって構成されることになる。
【００６３】
格納部２１は、例えば、弾性部２の中身の上面に形成された図示せぬ窪みと、当該窪みの上に被せられる合成皮革に形成された図示せぬコの字型の切れ目に囲まれた部分とから構成される。このコの字型の切れ目は、合成皮革が弾性部２の中身をカバーした状態で、弾性部２の中身の上面に形成された窪みの上面縁部の４辺のうちの３辺に沿う位置に設けられている。
【００６４】
なお、本変形例においては、格納部２１が開口する部分に長方形板状の窪みを採用しているが、保冷剤４１等を格納するという目的が達成できれば他の形状の窪みであってもよい。
【００６５】
ユーザは、合成皮革のコの字型の切れ目に囲まれた部分を捲り上げて、弾性部２の窪みにぴったり嵌る形状の保冷剤４１等を配置した後、捲り上げた部分を保冷剤４１等の上に被せる。そのように保冷剤４１等が格納された運動補助器具１は、使用される際にユーザの頸部を適度に冷却等するため、ユーザは快適に運動を行うことができる。
【００６６】
なお、上述した例においては、格納部２１に保冷剤４１もしくは保温剤４２のいずれかが格納されるものとしたが、これらに代えて、もしくは加えて、芳香剤４３等が格納されるようにしても良い。例えば、アロマ効果を有する芳香を発する芳香剤４３が格納部２１に格納される場合、ユーザはリラックス等のアロマ効果を得ながら運動を行うことができる。
【００６７】
また、合成皮革にコの字型の切れ目を入れてユーザがそれを捲り上げる代わりに、合成皮革を弾性部２の窪みにぴったり嵌る形状にして、ユーザがその上から保令剤４１等を嵌め込むようにしてもよい。あるいは、弾性部２の窪みの上面に位置する合成皮革の長方形の部分は切り取ってしまい、ユーザがその切り取られて開口したところから保冷剤４１等を弾性部２の窪みに嵌め込むようにしてもよい。
【００６８】
そのような構成が採用される場合、格納部２１に吸汗体４４等が格納されるようにしてもよい。例えば格納部２１に吸汗体４４が格納される場合、ユーザの頸部から発せられた汗が頸部に触れる吸汗体４４に吸収されるため、ユーザは汗による不快感を頸部に感じることなく運動を行うことができる。
【００６９】
（第２変形例）
また、弾性部２の硬さについてもユーザの好みがあると考えられる。そこで、第２変形例として、弾性部２の硬さを変更可能とする構成を採用する。
【００７０】
図３は、第２変形例にかかる運動補助器具１を示した図である。第２変形例において、弾性部２は、本体５１と、本体５１の上面に着脱可能に載置される硬さ調整部５２とを備えている。なお、本体５１および硬さ調整部５２は、各々が別個の合成皮革にカバーされる構成となっている。
【００７１】
また、本体５１の上面と硬さ調整部５２の下面には、例えばそれぞれ互いにくっつき合う面ファスナーが粘着材等により固着されており、ユーザは硬さ調整部５２を本体５１上に簡単に取り付け、もしくは取り外しできる。
【００７２】
さらに、硬さ調整部５２は、例えば硬め、普通、柔らかめ、のように硬さの異なる複数のものが用意されており、ユーザはそれらの中から好みのものを１つ選び、本体５１に取り付けて運動に用いる。
【００７３】
なお、第２変形例にかかる運動補助器具１においては、本体５１に硬さ調整部５２が取り付けられた状態で、上述した実施形態において説明したものと同様の条件で中央部Ｐが高さＨの２５パーセント以上３５パーセント以下の長さの距離だけ下向きに沈む範囲の硬さとなるように、本体５１および硬さ調整部５２の硬さが調整されている。
【００７４】
（第３変形例）
また、上述した実施形態においては、高さＨに関し、最大公約数的な大きさとしての８センチメートルが固定的に採用されている。しかしながら、例えば子供と大人では当然に体の大きさが異なることから、高さＨはユーザの特性に合わせて調整できることが望ましい。
そこで、第３変形例として、弾性部２の高さを変更可能とする構成を採用する。
【００７５】
図４は、第３変形例にかかる運動補助器具１を示した図である。第３変形例において、弾性部２は、高さＨを調整するための高さ調整部５３と、高さ調整部５３の上面に着脱可能に載置される本体５１とを備えている。なお、本体５１および高さ調整部５３は、各々が別個の合成皮革によりカバーされる構成となっている。
【００７６】
また、本体５１の下面と高さ調整部５３の上面には、例えばそれぞれ互いにくっつき合う面ファスナーが粘着材等により固着されており、ユーザは高さ調整部５３を本体５１の下面上に簡単に取り付け、もしくは取り外しできる。
【００７７】
さらに、高さ調整部５３は、例えば１センチメートル、２センチメートル、３センチメートル、のように高さの異なる複数のものが用意されており、ユーザは本体５１のみではその高さＨが不十分であると感じた場合、それらの中から自分に適する高さのものを１つ選び、本体５１に取り付けて運動に用いる。
【００７８】
なお、本体５１のみの高さＨおよび高さ調整部５３を本体５１に取り付けた場合の高さＨも、５乃至１０センチメートルの範囲に含まれるようになっている。
【００７９】
なお、第３変形例にかかる運動補助器具１においても、第２変形例と同様に、本体５１に高さ調整部５３が取り付けられた状態で、上述した実施形態において説明したものと同様の条件で中央部Ｐが高さＨの２５パーセント以上３５パーセント以下の長さの距離だけ下向きに沈む範囲の硬さとなるように、本体５１および高さ調整部５３の硬さが調整されている。
【００８０】
そのような構成にすることで、例えば子供と大人が、高さ調整部５３の使用の有無および交換により、１つの本体５１を共用しつつ、自分の特性に合った高さＨの運動補助器具１を利用することができる。
【００８１】
（第４変形例）
また、運動時に運動補助器具１が床面の上で滑り、ユーザが適切な運動を行えないという場合も想定できる。そこで、第４変形例として、床面に対する運動補助器具１の滑りを防止する構成を採用する。
【００８２】
図５は第４変形例にかかる運動補助器具１を示した図である。第４変形例にかかる運動補助器具１が用いられる場合、床面は例えばマットＭであり、そのマットＭの上面には、ユーザが横たわった時の頸部の位置に面ファスナーＦが粘着材等により取り付けられている。
【００８３】
一方、運動補助器具１の底面３上には、少なくともその一部分に面ファスナー６が粘着材等により取り付けられている。この場合、運動補助器具１は、弾性部２および面ファスナー６によって構成されることになる。
【００８４】
なお、面ファスナーＭは例えばループ面、面ファスナー６は例えばフック面のように、互いにくっつき合う構造を備えるものが採用されている。
【００８５】
ユーザが、運動補助器具１の底面３をマットＭ上の面ファスナーＦの上に置くと、面ファスナーＦと面ファスナー６とがくっつき、マットＭ上で運動が行われた場合であっても、運動補助器具１がマットＭから滑りずれることが防止される。
【００８６】
（第５変形例）
また、ユーザによっては、特有の運動を音声などのガイダンスに従って行いたいという要望もある。その要望に応えるために、第５変形例として、運動補助器具１がガイダンス音声を発する機能を備える構成を採用する。
【００８７】
図６（ａ）、（ｂ）および（ｃ）はそれぞれ、第５変形例にかかる運動補助器具１の斜視図、平面図および当該平面図に示されるＡ−Ａ線矢視断面図である。運動補助器具１は、弾性部２の内部に、音声の波形を示す波形データを記憶した記憶部と記憶部に記憶されている波形データに従い音声を発音する発音部とを備えている。この場合、運動補助器具１は、弾性部２と記憶部および発音部とにより構成されることになる。
【００８８】
記憶部は、例えば、フラッシュメモリなどの記憶媒体であり、予め録音により生成されたガイダンスの音声波形を示す波形データを記憶している。発音部は、電源、スイッチ７１、制御部、アンプおよびスピーカ７２を備えている。
【００８９】
電源がオフ状態のときにユーザによりスイッチ７１が押されると、電源がオン状態になるとともに、制御部により記憶部に記憶されている波形データが音声信号に変換され、その変換により得られた音声信号がアンプにより増幅され、スピーカ７２に出力される。スピーカ７２は、アンプから入力される音声信号に従いガイダンス音声を発音する。
【００９０】
そのような構成にすることで、ユーザは運動補助器具１から再生されるガイダンス音声に従って運動を行うことができる。なお、図６に示すように、弾性部２の上面には、円柱状のスピーカ開口部２２が例えば２か所に設けられていて、ユーザにガイダンス音声が聞こえ易い構成となっている。
【００９１】
なお、ユーザが運動補助器具１に頸部を載せているときは比較的小さな音でガイダンス音声が再生され、ユーザが立ち上がって運動しているときは比較的大きな音でガイダンス音声が再生されるとすれば、より便利である。そこで、発音部は制御部に接続される圧力センサ７３を備え、頸部の運動補助器具１上に対する載置の開始および終了を検出し、それに応じて音声信号のボリュームを調整する構成としても良い。
【００９２】
具体的には、上方から下方に所定の閾値以上の圧力が加わった時にオン信号を出力し、上方から下方に加わっている圧力が当該閾値未満になった時にオフ信号を出力する圧力センサ７３を、図６（ａ）および（ｂ）に示すように中央部Ｐの付近に配置する。また、制御部は、圧力センサ７３からオン信号が出力された時にはスピーカ７２に出力する音声信号のボリュームを下げ、圧力センサ７３からオフ信号が出力された時にはスピーカ７２に出力する音声信号のボリュームを上げるようにアンプを制御する。
【００９３】
そのような構成の運動補助器具１によれば、ユーザが起き上がり頸部を運動補助器具１に載置していない間は、大きいボリュームでガイダンス音声の再生が行われるため、ガイダンス音声が聞き取り難いという不都合が生じにくい。
【００９４】
なお、図中において、圧力センサ７３は小さい実線の円として描かれているが、実際には当該圧力センサは合成皮革のカバーの内側に配置されているので、外側から見ることはできない。
【００９５】
（第６変形例）
また、上述のように、合成皮革のカバーを使用した場合、ユーザの肌が直接に当該合成皮革に触れると、汗等による不快感を覚えることがある。そこで、第６変形例として、弾性部２の上面に着脱可能に載置される吸湿性の専用カバーを備える構成を採用する。この場合、運動補助器具１は、弾性部２と当該専用カバーとにより構成されることになる。
【００９６】
この専用カバーは、例えばタオル等の吸湿性の良い繊維製品からなり、汗等を吸収することにより、ユーザの不快感を解消する。
【００９７】
なお、弾性部２の上面と上述の専用カバーの一方の面には、例えばそれぞれ互いにくっつき合う面ファスナーが粘着材等により固着されており、ユーザは当該専用カバーを弾性部２の上面に簡単に取り付け、もしくは取り外しできる。また、このように面ファスナー等を利用すれば、弾性部２と専用カバーとのずれを防止することができる。
【００９８】
また、この専用カバーに例えばアロマオイルを染み込ませれば、アロマテラピー効果を期待することができる。
【００９９】
さらに、この専用カバーとともに、もしくはそれに代えて、弾性部２の上面に着脱可能に載置される、少なくとも保冷剤、保温剤および芳香剤のいずれかを備える構成を採用してもよい。この場合、運動補助器具１は、弾性部２と当該保冷剤等とにより構成されることになる。
【０１００】
なお、これらの保冷剤等も上述の専用カバーと同様に、例えばそれぞれ互いにくっつき合う面ファスナーによって、弾性部２の上面に簡単に取り付け、もしくは取り外しできる。
【０１０１】
運動補助器具１がこれらの保冷剤等を備えることによって、ユーザはより快適な環境で運動することができる。
【０１０２】
（第７変形例）
また、運動補助器具１のユーザの頸部が触れる部分に凹凸があり、経穴等を刺激する効果が得られるとすれば、なお望ましい。そこで、第７変形例として、弾性部２が上面にユーザの頸部を押圧する頸部押圧部を備える構成を採用する。
【０１０３】
ここで、上記の頸部押圧部は、例えば弾性部２の中身と合成皮革のカバーとの間に配置される複数の硬質部材と、それらの硬質部材を覆う部分の合成皮革のカバーとからなる。この硬質部材は、例えば直径５ミリメートルで高さが３ミリメートルの円盤状の突起であり、中央部Ｐの近傍に各々が適宜望ましい間隔で配置されて、運動補助器具１にユーザの頸部が載置されたときに当該頸部に散在する経穴を的確に押すことができるように構成されている。なお、これらの硬質部材は、例えば接着剤により弾性部２の中身の上部表面に固定される。
【０１０４】
また、上述の硬質部材は、例えば接着剤により合成皮革のカバーその他の表装部の上面に固定されてもよい。さらに、当該表装部の内側に、これらの硬質部材を埋め込んでもよい。
【０１０５】
このようにして、上述の頸部押圧部がユーザの頸部近辺の経穴等を押圧すると、押圧されて揉みほぐされた当該頸部の部位の血行が良くなり、結果としてユーザは健康に寄与する効果を得ることができる。
【産業上の利用可能性】
【０１０６】
本考案の運動補助器具によれば、ユーザは、特有の運動時に仰向けに寝そべった状態で頸部を適切な位置に安定的に固定するとともに、脊椎を牽引して体の歪みを矯正することができる。
以上のことから、本考案の運動補助器具は、様々な運動に適用することが可能であり、ヨガ、整体、カイロプラクティック、ストレッチ等にも利用されることが期待できる。さらに、脊椎等に問題をかかえる患者等のための運動療法もしくはリハビリテーション等として、医療分野にも活用されることが期待できる。
【符号の説明】
【０１０７】
１…運動補助器具、２…弾性部、２１…格納部、２２…スピーカ開口部、３…底面、４１…保冷剤、４２…保温剤、４３…芳香剤、４４…吸汗体、５１…本体、５２…硬さ調整部、５３…高さ調整部、６…面ファスナー、７１…スイッチ、７２…スピーカ、７３…圧力センサ
【図１】
0003153636.tif 000003
【図２】
0003153636.tif 000004
【図３】
0003153636.tif 000005
【図４】
0003153636.tif 000006
【図５】
0003153636.tif 000007
【図６】
0003153636.tif 000008